(57)【要約】【課題】ジョブチケット作成時において、各印刷指示項目の編集及び新規項目追加を可能とする印刷処理システムを提供する。【解決手段】この印刷処理システムは、ジョブチケットと生データを生成する複数のクライアントＰＣ２２、２３、２４と、クライアントＰＣから受信したジョブチケットに基づいて生データから印刷データに変換する印刷システムサーバ２１と、全体のシステム管理するシステム管理機構２０と、印刷システムサーバ２１からのジョブチケットに基づいて印刷データを印刷するプリンタ２５と、クライアントＰＣ２２、２３、２４、印刷システムサーバ２１、システム管理機構２０、及びプリンタ２５を接続するネットワーク２６とを備えて構成される。【選択図】      図１
2004252505.tif 000002
【特許請求の範囲】
【請求項１】
複数のクライアントと印刷制御を司るサーバ及びプリンタがネットワークを介して接続され、前記クライアントから前記プリンタに対して印刷指示を行う際に、印刷指示内容を示すジョブチケットを用いて印刷データを印刷する印刷処理システムであって、
前記クライアントは、前記ジョブチケットの印刷指示内容を設定する印刷指示設定手段と、該印刷指示設定手段により設定された印刷指示に基づいてジョブチケットを生成するジョブチケット生成手段とを備え、前記サーバは前記ジョブチケット生成手段により生成されたジョブチケットに基づいて印刷を開始するように前記プリンタを制御することを特徴とする印刷処理システム。
【請求項２】
複数のクライアントと印刷制御を司る印刷システムサーバ及びプリンタがネットワークを介して接続され、前記クライアントから前記プリンタに対して印刷指示を行う際に、印刷指示内容を示すジョブチケットを用いて印刷データを印刷する印刷処理システムであって、
前記クライアントは、既に生成されたジョブチケットの中から任意のジョブチケットを選択するジョブチケット選択手段と、該ジョブチケット選択手段により選択されたジョブチケットの項目の中から編集すべき項目を選択する項目選択手段と、該項目選択手段により選択された項目を編集する編集手段とを備え、前記サーバは前記編集手段により編集されたジョブチケットに基づいて印刷を開始するように前記プリンタを制御することを特徴とする印刷処理システム。
【請求項３】
複数のクライアントと印刷制御を司る印刷システムサーバ及びプリンタがネットワークを介して接続され、前記クライアントから前記プリンタに対して印刷指示を行う際に、印刷指示内容を示すジョブチケットを用いて印刷データを印刷する印刷処理システムであって、
前記クライアントは、既に生成されたジョブチケットの中から任意のジョブチケットを選択するジョブチケット選択手段と、該ジョブチケット選択手段により選択されたジョブチケットの項目に新規の項目を追加する新規項目追加手段とを備え、前記サーバは前記新規項目追加手段により新規の項目が追加されたジョブチケットに基づいて印刷を開始するように前記プリンタを制御することを特徴とする印刷処理システム。
【請求項４】
複数のクライアントと印刷制御を司るサーバ及びプリンタがネットワークを介して接続され、前記クライアントから前記プリンタに対して印刷指示を行う際に、印刷指示内容を示すジョブチケットを用いて印刷データを印刷する印刷処理方法であって、
前記クライアントは、前記ジョブチケットの印刷指示内容を設定し、設定された印刷指示に基づいてジョブチケットを生成すると共に、前記サーバに対して生成したジョブチケットを送信し、前記サーバは前記クライアントから受信したジョブチケットに基づいて印刷を開始するように前記プリンタを制御することを特徴とする印刷処理方法。
【請求項５】
複数のクライアントと印刷制御を司るサーバ及びプリンタがネットワークを介して接続され、前記クライアントから前記プリンタに対して印刷指示を行う際に、印刷指示内容を示すジョブチケットを用いて印刷データを印刷する印刷処理方法であって、
前記クライアントは、既に生成されたジョブチケットの中から任意のジョブチケットを選択し、該選択されたジョブチケットの項目の中から編集すべき項目を選択すると共に、該選択された項目を編集し、前記サーバに対して編集したジョブチケットを送信し、前記サーバは前記クライアントから受信したジョブチケットに基づいて印刷を開始するように前記プリンタを制御することを特徴とする印刷処理方法。
【請求項６】
複数のクライアントと印刷制御を司るサーバ及びプリンタがネットワークを介して接続され、前記クライアントから前記プリンタに対して印刷指示を行う際に、印刷指示内容を示すジョブチケットを用いて印刷データを印刷する印刷処理方法であって、
前記クライアントは、既に生成されたジョブチケットの中から任意のジョブチケットを選択し、該選択されたジョブチケットの項目に新規の項目を追加すると共に、前記サーバに対して新規の項目が追加されたジョブチケットを送信し、前記サーバは前記クライアントから受信したジョブチケットに基づいて印刷を開始するように前記プリンタを制御することを特徴とする印刷処理方法。
【請求項７】
請求項４乃至６の何れか一項に記載の印刷処理方法をコンピュータが制御可能にプログラミングしたことを特徴とする印刷処理プログラム。
【請求項８】
請求項７に記載の印刷処理プログラムをコンピュータが読み取り可能な形式で記録したことを特徴とする記録媒体。
【発明の詳細な説明】
【０００１】
【発明の属する技術分野】
本発明は、印刷処理システムに関し、さらに詳しくは、ジョブチケットの生成及び編集方法に関するものである。
【０００２】
【従来の技術】
従来からサーバおよびクライアントから構成されるネットワーク環境上でプリンタ管理システムを使用した場合、各プリンタに印刷方法を指示する際には、ジョブチケットが使われることが多い。例えば特開平５−２０４５６８号公報には、ネットワーク印刷システムのクライアントと接続されたユーザーインターフェースの画面上に表示されるジョブプログラミングダイアローグをフィルタリングする技術について開示されている。それによると、ネットワーク印刷システムは、幾つかは異なるジョブ処理能力を持つ複数の印刷物を作成するのに、プリンタと、各印刷ジョブを構成する電子文書と印刷指令を供給する複数のクライアント入力と、各々のプリンタの処理能力に従って統合ジョブチケット上のプログラム選択を編集可能にするダイアローグフィルターリングと、を有するとしている。
「富士ゼロックス株式会社、１９９６年のテクニカルレポート７．４の（２）ｇ」には、ＳＵＮワークステーションとＰＣ上において、オン・デマンド出力する文書の検索と、ジョブチケットを作成して出力指示を行うクライアント機能に対いて述べられている。
【特許文献１】特開平５−２０４５６８号公報
【非特許文献１】富士ゼロックス株式会社、１９９６年のテクニカルレポート７．４の（２）ｇ
【０００３】
【発明が解決しようとする課題】
しかしながら、前記特許文献１及び非特許文献１においては、ジョブチケット情報の各項目編集を可能とするが、新規に項目を作成して追加する機能については開示されていない。
本発明は、かかる課題に鑑み、ジョブチケット作成時において、各印刷指示項目の編集及び新規項目追加を可能とする印刷処理システムを提供することを目的とする。
【０００４】
【課題を解決するための手段】
本発明はかかる課題を解決するために、請求項１は、複数のクライアントと印刷制御を司るサーバ及びプリンタがネットワークを介して接続され、前記クライアントから前記プリンタに対して印刷指示を行う際に、印刷指示内容を示すジョブチケットを用いて印刷データを印刷する印刷処理システムであって、前記クライアントは、前記ジョブチケットの印刷指示内容を設定する印刷指示設定手段と、該印刷指示設定手段により設定された印刷指示に基づいてジョブチケットを生成するジョブチケット生成手段とを備え、前記サーバは前記ジョブチケット生成手段により生成されたジョブチケットに基づいて印刷を開始するように前記プリンタを制御することを特徴とする。
本発明はクライアント側にジョブチケットの印刷指示内容を設定する手段と、その指示に応じてジョブチケットを生成する生成部を備えている。そしてジョブチケットには印刷データの送信者名、部数、用紙サイズ、用紙タイプ等が設定されている。サーバはクライアントからこのジョブチケットを受け取ると、プリンタに対してジョブチケットの内容と生データをプリンタに送って印刷データを印刷する。
かかる発明によれば、新規にジョブチケットを作成する際に、各印刷項目をユーザが任意に指定することができるので、ユーザの指定通りの印刷結果を得ることが可能となる。
請求項２は、複数のクライアントと印刷制御を司る印刷システムサーバ及びプリンタがネットワークを介して接続され、前記クライアントから前記プリンタに対して印刷指示を行う際に、印刷指示内容を示すジョブチケットを用いて印刷データを印刷する印刷処理システムであって、前記クライアントは、既に生成されたジョブチケットの中から任意のジョブチケットを選択するジョブチケット選択手段と、該ジョブチケット選択手段により選択されたジョブチケットの項目の中から編集すべき項目を選択する項目選択手段と、該項目選択手段により選択された項目を編集する編集手段とを備え、前記サーバは前記編集手段により編集されたジョブチケットに基づいて印刷を開始するように前記プリンタを制御することを特徴とする。
既に生成されたジョブチケットの中から所定のジョブチケットを選択してその中にある項目を編集したり変更したい場合が発生する。本発明ではそのような場合、まず変更或いは編集するジョブチケットを選択して、そのジョブチケットの中の例えば用紙サイズの項目を選択してＡ４からＡ３に変更する。このように一度設定したジョブチケットの項目を任意に変更することができる。
かかる発明によれば、ユーザがジョブチケットを任意に選択し、選択したジョブチケットの各指示項目を任意に編集できることにより、ユーザは一度指定した内容を変更することが可能となるため、印刷データをユーザの希望通りにプリントすることができる。
【０００５】
請求項３は、複数のクライアントと印刷制御を司る印刷システムサーバ及びプリンタがネットワークを介して接続され、前記クライアントから前記プリンタに対して印刷指示を行う際に、印刷指示内容を示すジョブチケットを用いて印刷データを印刷する印刷処理システムであって、前記クライアントは、既に生成されたジョブチケットの中から任意のジョブチケットを選択するジョブチケット選択手段と、該ジョブチケット選択手段により選択されたジョブチケットの項目に新規の項目を追加する新規項目追加手段とを備え、前記サーバは前記新規項目追加手段により新規の項目が追加されたジョブチケットに基づいて印刷を開始するように前記プリンタを制御することを特徴とする。
また、一度設定したジョブチケットの項目に追加したい項目が発生する場合がある。そこで本発明では、まず項目を追加するジョブチケットを選択し、その中野項目に新規の項目を追加する。例えば、項目として印刷データの送信者名、部数、用紙サイズ、用紙タイプが既に設定されていた場合、更に印刷データの受信者名を追加して送信者が希望する受信者に印刷データが渡るようにすることができる。
かかる発明によれば、ジョブチケット作成に必要となる指示項目に後から任意に新規項目を追加することが可能となり、ユーザは印刷データを自分の希望通りにプリントすることができる。
請求項４は、複数のクライアントと印刷制御を司るサーバ及びプリンタがネットワークを介して接続され、前記クライアントから前記プリンタに対して印刷指示を行う際に、印刷指示内容を示すジョブチケットを用いて印刷データを印刷する印刷処理方法であって、前記クライアントは、前記ジョブチケットの印刷指示内容を設定し、設定された印刷指示に基づいてジョブチケットを生成すると共に、前記サーバに対して生成したジョブチケットを送信し、前記サーバは前記クライアントから受信したジョブチケットに基づいて印刷を開始するように前記プリンタを制御することを特徴とする。
かかる発明によれば、請求項１と同様な作用効果を奏する。
【０００６】
請求項５は、複数のクライアントと印刷制御を司るサーバ及びプリンタがネットワークを介して接続され、前記クライアントから前記プリンタに対して印刷指示を行う際に、印刷指示内容を示すジョブチケットを用いて印刷データを印刷する印刷処理方法であって、前記クライアントは、既に生成されたジョブチケットの中から任意のジョブチケットを選択し、該選択されたジョブチケットの項目の中から編集すべき項目を選択すると共に、該選択された項目を編集し、前記サーバに対して編集したジョブチケットを送信し、前記サーバは前記クライアントから受信したジョブチケットに基づいて印刷を開始するように前記プリンタを制御することを特徴とする。
かかる発明によれば、請求項２と同様な作用効果を奏する。
請求項６は、複数のクライアントと印刷制御を司るサーバ及びプリンタがネットワークを介して接続され、前記クライアントから前記プリンタに対して印刷指示を行う際に、印刷指示内容を示すジョブチケットを用いて印刷データを印刷する印刷処理方法であって、前記クライアントは、既に生成されたジョブチケットの中から任意のジョブチケットを選択し、該選択されたジョブチケットの項目に新規の項目を追加すると共に、前記サーバに対して新規の項目が追加されたジョブチケットを送信し、前記サーバは前記クライアントから受信したジョブチケットに基づいて印刷を開始するように前記プリンタを制御することを特徴とする。
かかる発明によれば、請求項３と同様な作用効果を奏する。
請求項７は、請求項４乃至６の何れか一項に記載の印刷処理方法をコンピュータが制御可能にプログラミングしたことを特徴とする。
かかる発明によれば、本発明の印刷処理方法をコンピュータが制御可能なＯＳに従ってプログラミングすることにより、そのＯＳを備えたコンピュータであれば同じ処理方法により制御することができる。
請求項８は、請求項７に記載の印刷処理プログラムをコンピュータが読み取り可能な形式で記録したことを特徴とする。
かかる発明によれば、印刷処理プログラムをコンピュータが読み取り可能な形式で記録媒体に記録することにより、この記録媒体を持ち運ぶことにより何処でも印刷処理プログラムを稼動することができる。
【０００７】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の実施形態に係る印刷処理システムの構成ブロック図である。この印刷処理システムは、ジョブチケットと生データを生成する複数のクライアントＰＣ２２、２３、２４と、クライアントＰＣから受信したジョブチケットに基づいて生データから印刷データに変換する印刷システムサーバ２１と、全体のシステム管理するシステム管理機構２０と、印刷システムサーバ２１からのジョブチケットに基づいて印刷データを印刷するプリンタ２５と、クライアントＰＣ２２、２３、２４、印刷システムサーバ２１、システム管理機構２０、及びプリンタ２５を接続するネットワーク２６とを備えて構成される。尚、本発明の実施形態では、プリンタ２５が１台の場合について説明しているが、複数台あっても構わない。
この印刷処理システムの概略動作は、例えば、クライアントＰＣ２２がＰＣ上で作成したデータをプリンタ２５で印刷する場合、まず本発明の印刷処理システムを起動する。そして印刷したいデータを指定し、印刷指示内容を示すジョブチケット作成する。このジョブチケットには印刷データの送信者名、部数、用紙サイズ、用紙タイプ等を設定する。その設定が終わるとその設定に応じてジョブチケットが生成される。そして、印刷を開始すると生データとジョブチケットがネットワーク２６を介して印刷システムサーバ２１に送られ、印刷システムサーバ２１はジョブチケットに基づいて生データを印刷データに展開してプリンタ２５に送信する。プリンタ２５はプリンタドライバにより印刷データを記録しに記録する。
【０００８】
図２は本発明のクライアントＰＣ及び印刷システムサーバ２１の内部構造を表すブロック図である。このクライアントＰＣ及び印刷システムサーバ２１は、ＬＣＤ等で構成され、データやアイコン等の表示を行うディスプレイ３０と、バス４１とデータの接続を行うＩ／Ｆ３１と、全体の制御を司るＣＰＵ３２と、ワーキングメモリとしての役割を果しＲＡＭ等で構成されるメモリ３３と、外部の記録メディア（ＣＤ、ＭＯ、ＦＤ（登録商標）等）をアクセスする記録メディアアクセス装置３５と、バス４１とデータの接続を行うＩ／Ｆ３４と、外部記憶装置としてプログラムやデータを記憶するハードディスク３６と、バス４１とデータの接続を行うＩ／Ｆ３７とデータ入力を行うキーボード３９と、マウス４０と、バス４１とデータの接続を行うＩ／Ｆ３８とを備えて構成される。これらの構成のクライアントＰＣ及び印刷システムサーバ２１は、ハードディスク３６内に格納されたプログラムに従って制御されることは公知であるので、詳しい動作については省略する。
図３は本発明の第１の実施形態に係る印刷処理システムの機能構成を表す図である。この印刷処理システムは、クライアント１、サーバ１０、プリンタ１３から構成され、クライアント１は、ジョブチケット４の印刷指示内容を設定する印刷指示設定部２と、この印刷指示設定部２により設定された印刷指示に基づいてジョブチケットを生成するジョブチケット生成部３とを備えている。
図６は本発明の第１の実施形態に係る印刷処理システムの動作フローチャートであり、これと併せて参照して動作を説明する。まず、本実施形態の印刷処理システムを起動し（Ｓ１）、クライアント１で作成した印刷する生データを指定して、印刷指示設定部２により印刷の仕上がり指示を行う（Ｓ２）。ここでジョブチケットに設定する内容としては、例えば、送信者名、印刷部数、用紙サイズ、用紙タイプ等がある。このようにして指示されるとジョブチケット生成部３によりジョブチケット４が生成される（Ｓ３）。そして、クライアント１が印刷開始指示を出すか否かを判断し（Ｓ４）、印刷指示を希望するのであれば（Ｓ４でＹＥＳのルート）印刷を開始するためにジョブチケット４と生データ１２をサーバ１０にネットワークを介して送信する。サーバ１０は内部にジョブチケット１１と生データ１２を受信して、それらのデータをプリンタ１３に送り、プリンタ１３はプリンタドライバに基づいて印刷データを作成して印刷を開始して（Ｓ５）、印刷結果１４を出力する。
【０００９】
図４は本発明の第２の実施形態に係る印刷処理システムのクライアントの機能構成を表す図である。同じ構成要素には同じ参照番号が付されている。クライアント１は、図示を省略するが、既に生成されたジョブチケットの中から任意のジョブチケットを選択するジョブチケット選択部と、このジョブチケット選択部により選択されたジョブチケットの項目の中から任意の項目を選択する項目選択部と、この項目選択部により選択された項目を編集若しくは変更する編集部とを備えている。
図７は本発明の第２の実施形態に係る印刷処理システムの動作フローチャートであり、これと併せて参照して動作を説明する。まず、本実施形態の印刷処理システムを起動し（Ｓ１１）、クライアント１で作成した印刷する生データを指定して、ジョブチケット選択部により既に生成されたジョブチケットの中から任意のジョブチケットを選択する（Ｓ１２）。ここでジョブチケット４に設定する内容としては、例えば、送信者名、印刷部数、用紙サイズ、用紙タイプ等がある。次に、ジョブチケット４の項目の中から編集若しくは変更する項目を項目選択部により選択し、例えば用紙サイズ４ａを選択して編集部により要求事項５ａに変更する（Ｓ１３）。そして、クライアント１が印刷開始指示を出すか否かを判断し（Ｓ１４）、印刷指示を希望するのであれば（Ｓ１４でＹＥＳのルート）印刷を開始するために編集されたジョブチケット５と図示しない生データを図３のサーバ１０にネットワークを介して送信する。サーバ１０は内部にジョブチケット１１と生データ１２を受信して、それらのデータをプリンタ１３に送り、プリンタ１３はプリンタドライバに基づいて印刷データを作成して印刷を開始して（Ｓ１５）、印刷結果１４を出力する。
【００１０】
図５は本発明の第３の実施形態に係る印刷処理システムのクライアントの機能構成を表す図である。同じ構成要素には同じ参照番号が付されている。クライアント１は、図示を省略するが、既に生成されたジョブチケットの中から任意のジョブチケットを選択するジョブチケット選択部と、このジョブチケット選択部により選択されたジョブチケットの項目に新規の項目を追加する新規項目追加部とを備えている。
図８は本発明の第３の実施形態に係る印刷処理システムの動作フローチャートであり、これと併せて参照して動作を説明する。まず、本実施形態の印刷処理システムを起動し（Ｓ２１）、クライアント１で作成した印刷する生データを指定して、ジョブチケット選択部により既に生成されたジョブチケットの中から任意のジョブチケットを選択する（Ｓ２２）。ここでジョブチケット４に設定する内容としては、例えば、送信者名、印刷部数、用紙サイズ、用紙タイプ等がある。次に、ジョブチケット４の項目の中に新規項目を新規項目追加部により追加する（Ｓ２３）。例えばジョブチケット４に印刷データの受信者名６ａを追加して、ジョブチケット６とする。そして、クライアント１が印刷開始指示を出すか否かを判断し（Ｓ２４）、印刷指示を希望するのであれば（Ｓ２４でＹＥＳのルート）印刷を開始するために新規に項目を追加したジョブチケット６と図示しない生データを図３のサーバ１０にネットワークを介して送信する。サーバ１０は内部にジョブチケット１１と生データ１２を受信して、それらのデータをプリンタ１３に送り、プリンタ１３はプリンタドライバに基づいて印刷データを作成して印刷を開始して（Ｓ２５）、印刷結果１４を出力する。
【００１１】
【発明の効果】
以上記載のごとく請求項１、４の発明によれば、新規にジョブチケットを作成する際に、各印刷項目をユーザが任意に指定することができるので、ユーザの指定通りの印刷結果を得ることが可能となる。
また請求項２、５では、ユーザがジョブチケットを任意に選択し、選択したジョブチケットの各指示項目を任意に編集できることにより、ユーザは一度指定した内容を変更することが可能となるため、印刷データをユーザの希望通りにプリントすることができる。
また請求項３、６では、ジョブチケット作成に必要となる指示項目に後から任意に新規項目を追加することが可能となり、ユーザは印刷データを自分の希望通りにプリントすることができる。
また請求項７では、本発明の印刷処理方法をコンピュータが制御可能なＯＳに従ってプログラミングすることにより、そのＯＳを備えたコンピュータであれば同じ処理方法により制御することができる。
また請求項８では、印刷処理プログラムをコンピュータが読み取り可能な形式で記録媒体に記録することにより、この記録媒体を持ち運ぶことにより何処でも印刷処理プログラムを稼動することができる。
【図面の簡単な説明】
【図１】本発明の実施形態に係る印刷処理システムの構成ブロック図である。
【図２】本発明のクライアントＰＣ及び印刷システムサーバ２１の内部構造を表すブロック図である。
【図３】本発明の第１の実施形態に係る印刷処理システムの機能構成を表す図である。
【図４】本発明の第２の実施形態に係る印刷処理システムのクライアントの機能構成を表す図である。
【図５】本発明の第３の実施形態に係る印刷処理システムのクライアントの機能構成を表す図である。
【図６】本発明の第１の実施形態に係る印刷処理システムの動作フローチャートである。
【図７】本発明の第２の実施形態に係る印刷処理システムの動作フローチャートである。
【図８】本発明の第３の実施形態に係る印刷処理システムの動作フローチャートである。
【符号の説明】
２０  システム管理機構、２１  印刷システムサーバ、２２〜２４  クライアントＰＣ、２５  プリンタ、２６  ネットワーク
【図１】
2004252505.tif 000003
【図２】
2004252505.tif 000004
【図３】
2004252505.tif 000005
【図４】
2004252505.tif 000006
【図５】
2004252505.tif 000007
【図６】
2004252505.tif 000008
【図７】
2004252505.tif 000009
【図８】
2004252505.tif 000010